(57)【要約】  液体を大気中に放出器具及び方法が開示される。ガスによって加圧された液体を流量制限装置（５）を経て蒸発器（７）に供給され、流量制限装置は、液体の流量を制限して連続した放出が可能であるようにし、蒸発器は、蒸発面を有し、この蒸発面は、好ましくは、表面積が増大させられていると共に（或いは）液体が蒸発面上でほぼ一様な膜を形成するように微細構造化によって設計されている。
2008516858.tif 000002
【特許請求の範囲】
【請求項１】
加圧状態の液体（２）の入った容器（１）と、前記液体（２）の放出を制御する弁（３）とを有する液体（２）を蒸発させる放出器具（Ｄ）であって、
前記放出器具（Ｄ）は、流量制限装置（５）と蒸発器（７）とを更に有し、
前記流量制限装置（５）は、前記弁（３）が開いているとき、前記容器（１）から前記蒸発器（７）への前記液体（２）の流量を前記蒸発器（７）による前記液体（２）の予想蒸発量よりも少なく又はこれに略等しく制限し、前記弁（３）を前記液体（２）の連続放出及び連続蒸発が可能であるよう永続的に開いておくことができるようになっている、
ことを特徴とする放出器具。
【請求項２】
前記液体（２）は、オイル、溶剤、フレグランス、香水、エアフレッショナー（air fleshener ）、医薬成分、治療薬成分又は任意他の活性成分であり、或いは、オイル、溶剤、フレグランス、香水、エアフレッショナー（air fleshener ）、医薬成分、治療薬成分又は任意他の活性成分を含有する、
請求項１に記載の放出器具。
【請求項３】
前記液体（２）は、ガス、特に液化ガス又は圧縮ガスによって、又は付勢手段、特にばねによって加圧されている、
請求項１又は２に記載の放出器具。
【請求項４】
前記液体（２）の圧力は、５ｈＰａないし１ＭＰａ、好ましくは５０ｈＰａないし０．２ＭＰａである、
請求項１ないし３のいずれか１項に記載の放出器具。
【請求項５】
前記弁（３）は、１回だけ開くことができるもの、又はオンオフ型のものである、
請求項１ないし４のいずれか１項に記載の放出器具。
【請求項６】
前記弁（３）は、その開き状態及び（又は）閉じ状態にロックできる、
請求項１ないし５のいずれか１項に記載の放出器具。
【請求項７】
前記放出器具（Ｄ）は、前記液体（２）を流量制限前に濾過するフィルタ（１３）を有する、
請求項１ないし６のいずれか１項に記載の放出器具。
【請求項８】
前記フィルタ（１３）は、前記流量制限装置（５）に組み込まれている、
請求項７に記載の放出器具。
【請求項９】
前記流量は、０．０１ないし２．０ｇ／ｄ、好ましくは０．０５ないし０．５ｇ／ｄである、
請求項１ないし８のいずれか１項に記載の放出器具。
【請求項１０】
前記流量は、調節可能である、
請求項１ないし９のいずれか１項に記載の放出器具。
【請求項１１】
前記流量制限装置（５）は、少なくとも１つの絞りチャネル（１０）、好ましくは長い毛管状チャネル（１０）を有する、
請求項１ないし１０のいずれか１項に記載の放出器具。
【請求項１２】
前記チャネル（１０）は、略真っ直ぐであり、或いは、螺旋形状又は蛇行形状である、
請求項１１に記載の放出器具。
【請求項１３】
前記チャネル（１０）の平均又は水力直径は、１μｍないし１ｍｍ、好ましくは５０ないし２００μｍ、より好ましくは７５ないし１２５μｍである、
請求項１１又は１２に記載の放出器具。
【請求項１４】
前記チャネル（１０）の長さは、１ｍｍないし１０ｍ、好ましくは１０ｍｍないし１ｍである、
請求項１１ないし１３のいずれか１項に記載の放出器具。
【請求項１５】
前記チャネル（１０）は、毛管力が高い部分を有し、前記毛管力は、特に、この部分における直径又は断面の減少に起因して得られている、
請求項１１ないし１４のいずれか１項に記載の放出器具。
【請求項１６】
前記チャネル（１０）の有効長さ又は有効直径は、前記流量を変化させるために可変である、
請求項１１ないし１５のいずれか１項に記載の放出器具。
【請求項１７】
前記流量制限装置（５）は、互いに並列接続された多数のチャネル（１０）を有する、
請求項１１ないし１６のいずれか１項に記載の放出器具。
【請求項１８】
前記チャネル（１０）はそれぞれ、前記流量を変化させるために可変的に使用される、
請求項１７に記載の放出器具。
【請求項１９】
前記チャネル（１０）及び任意的にフィルタ（１３）は、好ましくはプラスチックで作られた構造化又は成形本体（１２）によって形成されている、
請求項１１ないし１８のいずれか１項に記載の放出器具。
【請求項２０】
前記流量制限装置（５）は、絞り弁から成る、
請求項１ないし１９のいずれか１項に記載の放出器具。
【請求項２１】
前記流量制限装置（５）は、好ましくは水力直径が３０ないし１００μｍの制限オリフィスから成る、
請求項１ないし２０のいずれか１項に記載の放出器具。
【請求項２２】
前記流量制限装置（５）は、前記弁（３）の前又は後に配置されている、
請求項１ないし２１のいずれか１項に記載の放出器具。
【請求項２３】
前記流量制限装置（５）は、前記弁（３）に組み込まれている、
請求項１ないし２２のいずれか１項に記載の放出器具。
【請求項２４】
前記流量制限装置（５）は、前記放出器具（Ｄ）のアクチュエータ（８）に組み込まれている、
請求項１ないし２３のいずれか１項に記載の放出器具。
【請求項２５】
前記流量制限装置（５）及び前記蒸発器（７）は、互いに隣接して、好ましくは、上下に配置されている、
請求項１ないし２４のいずれか１項に記載の放出器具。
【請求項２６】
前記流量制限装置（５）は、前記蒸発器（７）に組み込まれている、
請求項１ないし２５のいずれか１項に記載の放出器具。
【請求項２７】
前記蒸発器（７）は、キャップ、カバー、スクリーン又はアクチュエータ（８）によって保護されている、
請求項１ないし２６のいずれか１項に記載の放出器具。
【請求項２８】
前記蒸発器（７）は、前記放出器具（Ｄ）のアクチュエータ（８）に組み込まれている、
請求項１ないし２７のいずれか１項に記載の放出器具。
【請求項２９】
前記蒸発器（７）は、請求項３０ないし３５のいずれか１項の記載に従って設計されている、請求項１ないし２８のいずれか１項に記載の放出器具。
【請求項３０】
液体（２）を蒸発させる蒸発器（７）であって、
蒸発面（１５）を備え、前記蒸発面は、表面積が増大させられていると共に（或いは）前記液体（２）が前記蒸発面（１５）上にほぼ一様な膜を形成するよう設計されている、
ことを特徴とする蒸発器。
【請求項３１】
前記蒸発面（１５）は、表面積が増大させられていると共に（或いは）前記液体（２）が前記蒸発面（１５）上にほぼ一様な膜を形成するよう微細構造化されている、
請求項３０記載の蒸発器。
【請求項３２】
前記蒸発面（１５）は、ほぼ平らであると共に（或いは）好ましくはプラスチックで作られた構造化又は成形本体（１２）によって形成されている、
請求項３０又は３１に記載の蒸発器。
【請求項３３】
前記液体（２）は、前記蒸発面（１５）に加わる毛管力により駆動される、
請求項３０ないし３２のいずれか１項に記載の蒸発器。
【請求項３４】
前記液体（２）は、オイル、溶剤、フレグランス、香水、エアフレッショナー（air fleshener ）、医薬成分、治療薬成分又は任意他の活性成分であり、或いは、オイル、溶剤、フレグランス、香水、エアフレッショナー（air fleshener ）、医薬成分、治療薬成分又は任意他の活性成分を含有する、
請求項３０ないし３３のいずれか１項に記載の蒸発器。
【請求項３５】
前記流量は、０．０１ないし２．０ｇ／ｄ、好ましくは０．０５ないし０．５ｇ／ｄである、
請求項３０ないし３４のいずれか１項に記載の蒸発器。
【請求項３６】
液体（２）を大気中に蒸発させる方法であって、前記液体（２）は、加圧され、好ましくは、流量制限装置（５）を経て前記液体（２）を蒸発させる蒸発器（７）に連続的に放出され、前記流量制限装置（５）は、前記蒸発器（７）への前記液体（２）の流量を前記蒸発器（７）による前記液体（２）の予想蒸発量よりも少なく又は略これに等しいように制限する、
ことを特徴とする方法。
【請求項３７】
前記液体（２）は、ガス又は付勢手段によって加圧されている、
請求項３６に記載の方法。
【請求項３８】
前記液体（２）は、オイル、溶剤、フレグランス、香水、エアフレッショナー（air fleshener ）、医薬成分、治療薬成分又は任意他の活性成分であり、或いは、オイル、溶剤、フレグランス、香水、エアフレッショナー（air fleshener ）、医薬成分、治療薬成分又は任意他の活性成分を含有する、
請求項３６又は３７に記載の方法。
【請求項３９】
前記液体（２）の圧力は、５ｈＰａないし１ＭＰａ、好ましくは５０ｈＰａないし０．２ＭＰａである、
請求項３６ないし３８のいずれか１項に記載の方法。
【請求項４０】
前記流量は、０．０１ないし２．０ｇ／ｄ、好ましくは０．０５ないし０．５ｇ／ｄである、
請求項３６ないし３９のいずれか１項に記載の方法。
【請求項４１】
前記流量は、前記流量制限装置（５）の流れ抵抗を変化させることにより調節される、
請求項３６ないし４０のいずれか１項に記載の方法。
【請求項４２】
前記液体（２）は、好ましくは密閉容器（１）内で加圧されている、
請求項３６ないし４１のいずれか１項に記載の方法。
【発明の詳細な説明】
【技術分野】
【０００１】
本発明は、本願請求項１の前文に記載された液体を蒸発させる放出器具、液体を蒸発させる蒸発器及び液体を大気中に蒸発させる方法に関する。
【０００２】
特に、本発明は、好ましくは密閉空間内の任意の活性成分、例えば、フレグランス、香水、エアフレッショナー（air freshener）、医薬品等の小出しに関する。
【背景技術】
【０００３】
多くの連続液体送出し器具が、市場に出回っており又は提案された。大きく分けて２つの種類、例えば、受動型及び能動型がある。受動型器具では、液体をキャリヤ、例えばゲル、フォーム又は液体溶剤中に吸収させ、希釈し又は溶解させる。このような受動型器具では、大気中への液体又は任意の活性成分の移送は、室温及び空気循環量に依存する蒸発量で決まる。
【発明の開示】
【発明が解決しようとする課題】
【０００４】
多種多様な連続及び非連続能動型器具が、提案され又は市販されている。能動型器具には、受動型器具に蒸発エンハンサ、例えば電気ヒータ又は送風機を追加したものをベースしているものがある。能動型器具の中には、間欠的に連続しているに過ぎず、ユーザがボタンを押して活性成分を含有した液体のエアゾロル化雲を放出し、次にこれを大気中で蒸発させる方式のものもある。この種の典型的な器具は、壁取付け型加圧エアゾール缶であり、かかるエアゾール缶は、ユーザがレバー又は任意他のアクチュエータを押したときにユーザにより直接的に又は例えばドアを開いたときにユーザにより間接的に作動される。
【０００５】
本発明の目的は、液体のより一様な且つ（或いは）連続した放出及び蒸発が可能であり、特に、室温及び空気循環への依存性を無くし又は少なくとも減少させることができ、ユーザ又は何らかの電気的装置による定期的、直接的又は間接的な作動が不要である、液体を蒸発させる放出器具及び方法並びに蒸発器を提供することにある。
【課題を解決するための手段】
【０００６】
この目的は、請求項１に記載の放出器具、請求項３０に記載の蒸発器、又は請求項３６に記載の方法によって達成される。好ましい実施形態は、従属形式の請求項の内容である。
【０００７】
本発明の基本的な構想は、容器から蒸発器への加圧液体の流量を制限して弁等の間欠的な動作が不要であるようにする流量制限装置を用いることにある。その代わり、液体の連続放出及び連続蒸発のために装置を作動させたり作動停止させる弁を永続的に開いておくのがよく、このことは、少なくとも、長期間にわたること及び（又は）頻繁な閉鎖が不要であることを意味している。これにより、非常に簡単な取扱いが可能になる。さらに、流量制限装置は、流量を決定し、実際の蒸発量を決定する。したがって、室温、空気循環等に対する蒸発量の依存性を無くすことができ又は少なくとも減少させることができる。
【０００８】
好ましくは、流量制限装置は、液体の流量を所望に応じて制限する少なくとも１つのチャネル、特に、長い毛管状チャネルを有する。
【０００９】
実際のエネルギー源は好ましくは、ガスであり、このガスは、液化ガス又は圧縮ガスであるのがよい。ガスは、液体又は任意の活性成分と一緒に、好ましくは、必要ならば溶剤又は増量剤を加えて加圧容器内に貯蔵される。
【００１０】
本発明では、「液体」という用語は、広い意味に理解されなければならない。特に、この用語は、蒸発可能なあらゆる種類の成分、液体、流体、混合物、懸濁液、液化ガス等を含むものとする。好ましくは、液体は、オイル、溶剤、フレグランス、香水、エアフレッショナー、医薬成分、治療薬成分又は任意他の活性成分であり、或いは、オイル、溶剤、フレグランス、香水、エアフレッショナー、医薬成分、治療薬成分又は任意他の活性成分を含有する。
【００１１】
本発明の別の特徴は、液体を蒸発させる蒸発器に関する。この蒸発器は、蒸発面を有し、この蒸発面は、好ましくは、表面積が増大させられていると共に（或いは）液体が蒸発面上でほぼ一様な膜を形成するように微細構造化によって設計されている。このようにして、室温、空気循環等に対する蒸発量の依存性を無くすことができ又は少なくとも減少させることができる。
【００１２】
本発明の別の観点、利点及び特徴は、特許請求の範囲及び好ましい実施形態についての以下の詳細な説明から明らかになろう。
【００１３】
図中、同一の参照符号は、同一又は類似のコンポーネントについて用いられており、同一又は類似の特徴又は利点は、説明の繰り返しを省いた場合であっても達成される。
【発明を実施するための最良の形態】
【００１４】
図１は、本発明の第１の実施形態の放出器具Ｄの概略断面図である。放出器具Ｄは、液体２入りの容器１を有する。液体２は、好ましくは、活性成分、溶剤及び（又は）液体及び圧縮ガスを含む。「液体」という用語については上述のとおりである。
【００１５】
液体２は、容器１内に納められた袋（図示せず）の中に入れられるのがよく、ガスがこの袋の外部に存在している。従来型袋又は弁装置に設けられた袋のいずれも使用できる。また、容器１内のピストンを用いると、所望ならば又は必要ならばガスと液体２を分離することができる。ピストンを用いる場合、ガスに代えて付勢手段、例えばばねを用いるのがよい。しかしながら、流体２を容器１内で加圧する他の手段も設けることができる。
放出器具Ｄは、任意的に、好ましくは容器１の頂部に取り付けられる弁３を有し、放出器具は、好ましくは、容器１の底まで下に延びる浸漬チューブ４を有する。
【００１６】
弁３は好ましくは、従来型エアゾール弁等である。これにより、組立て及び充填が単純化される。弁３は好ましくは、オンオフ型のものである。しかしながら、弁３は又、これを一度だけ開くことができるように設計されたものであってもよい。この場合、弁３は、取外し可能な蓋、キャップ等によって形成されるのがよい。変形例として、計量弁を用いてもよい。このように、弁を開くたびに、正確に計量された量の液体２が放出される。好ましくは、弁３は、その開き状態及び（又は）閉じ状態にロックできる。
【００１７】
放出器具Ｄは、好ましくはステム６を介して容器１／弁３と流体結合された流量制限装置５を更に有している。このように、流量制限装置５は、弁３の後に配置されている。しかしながら、流量制限装置５を弁３の前に配置すると共に（或いは）流量制限装置を弁３に組み込むことも又可能である。また、変形例として、浸漬チューブ４は、流量制限装置５によって置き換えられてもよく又は流量制限装置５を形成してもよい。
【００１８】
放出器具Ｄは、蒸発のために液体２を供給できる流量制限装置５の出口に流体結合された蒸発器７を更に有している。
【００１９】
放出器具Ｄは、アクチュエータ８を有しているが、このようにするかどうかは任意である。アクチュエータ８を容器１及び（又は）弁３に取り付けてアクチュエータ８を押し下げることにより弁３を開くことができるようにするのがよい。好ましくは、アクチュエータ８は、弁３をいったん開くと、ユーザがアクチュエータ８を押すのを止めた後でも弁が開いたままであるように設計されている。これは、ラチェット機構体、ロック機構体等によって達成できる。
【００２０】
好ましくは、アクチュエータ８は、ユーザが弁３をオンにし、これを開き位置のままであるようにすることができるロック機構体を有している。ロック機構体は、弁３を開き位置に永続的にロックでき又はオンオフ特徴を有するのがよい。
【００２１】
計量弁又は任意他の計量装置を組み込んで各作動後、又はアクチュエータ８を開き位置にロックするたびに液体２の放出量を制限するのがよい。
【００２２】
容器１は、弁３を上にした状態で使用するのがよく、この場合、従来型浸漬チューブ４が用いられる。変形例として、容器１をアクチュエータ８が底部に位置した状態で逆さまの位置で用いてもよく、この場合、浸漬チューブ４は不要である。
【００２３】
流量制限装置５は、アクチュエータ８内に設けてもよく、又はアクチュエータ８に組み込んでもよい。
【００２４】
好ましくは、液体２は、ガス、特に液化ガス又は圧縮ガスによって容器１内で加圧される。液化ガスを用いる場合、この液化ガスは、炭化水素、例えば、ブタン、プロパン又はＤＭＥ又は任意適当なＨＦＡガス、例えば１３４ａがよい。任意の重量パーセントの液化ガスを用途に応じて使用できる。推定使用期限が１ないし３箇月の容器の場合、ガスの好ましい重量パーセントは、好ましくは、５ないし５０重量％である。液化ガスを液体２、特に、活性成分／溶剤混合液中に溶解させた場合、容器１内の圧力は、純粋ガスの蒸気圧未満であるのがよい。
【００２５】
圧縮ガスを用いる場合、圧力調整要素（図示せず）を設けて液体２の流量を液体レベルが容器１内で低下し、ガスにより充填された液体２の上方の空間９が増大すると生じる圧力変化とは無関係に一定に保つのがよい。圧力調整要素は、流量制限装置５内への圧力を自動的に調整することができ、或いは、ユーザにより、例えば、アクチュエータ８をひねることにより圧力調整要素を制御して容器内の圧力が使用につれて低下すると流量制限具合を減少させるのがよい。圧力調整装置を以下に説明するように流量制限装置５に組み込むのがよい。任意の圧縮ガス、例えば、空気、窒素又はＣＯ2を用いることができる。
【００２６】
容器１内の圧力は、好ましくは、５ｈＰａないし１ＭＰａ、好ましくは、５０ｈＰａないし０．２ＭＰａである。これは、特に、大気又は室温に適用できる。
【００２７】
流量制限装置５は、弁３の開き状態において、容器１から蒸発器７への液体２の流量を蒸発器７による液体２の予想蒸発量よりも少なく又は略これに等しいように制限する。このように、弁３を弁１からの液体２の連続放出及び蒸発器７による液体２の連続蒸発を可能にするよう永続的に開いておくことができる。
【００２８】
流量制限装置５は、好ましくは、液体２の流量を制限して、流量が０．０１ないし２．０ｇ／ｄ（１日当たりのグラム数）、最も好ましくは、０．０５ないし０．５ｇ／ｄであるようにする。これは、大抵の用途、特に、エアフレッショナー等に適した比較的低い妥当な範囲である。
【００２９】
放出器具Ｄの使用可能な寿命は、好ましくは、弁３を永続的に開いた状態で２ないし３６週間である。弁３を閉じた状態では、放出器具Ｄを少なくとも２年間以上保存することができる。
【００３０】
最も好ましい実施形態によれば、流量制限装置５は、図２の流量制限装置５の概略断面図に示すように、少なくとも１つの絞りチャネル１０、好ましくは、長い毛管状チューブ又はチャネル１０を有している。
【００３１】
液体２の流量、圧力、粘度及び密度がいったん分かると、伝統的な層流に関する方程式を用いることによりチャネル１０の所要長さ及び所要直径を計算することができる。チャネル１０の長さが短ければ短いほど、流量及び組をなす物理的パラメータが任意所与の場合に必要な水力直径がそれだけ一層小さくなる。
【００３２】
直径は、詰まり又は閉塞を最小限に抑えるためにできるだけ大きいことが必要である。好ましくは、チャネル１０の平均又は水力直径は、１μｍないし１ｍｍ、より好ましくは５０ないし２００μｍ、特に７５ないし１２５μｍである。チャネル１０の断面は、任意適当な形態のものであってよく、必ずしも円形である必要はない。
【００３３】
長さは又、流れ抵抗、及び流量を決定する要因であり、好ましくは、チャネル長さは、１ｍｍないし１０ｍ、より好ましくは１０ｍｍないし１ｍである。
【００３４】
図示の実施形態では、チャネル１０は、蛇行形状のものである。しかしながら、後で説明する別の実施形態に示すように、チャネル１０は、ほぼ真っ直ぐでも、或いは螺旋形状でもよい。
【００３５】
別の実施形態では、チャネル１０は、蒸発量が流量よりも非常に高い場合にチャネル１０が完全に空になるのを回避するために、毛管力が高い部分を有し又はこれを形成し、この部分は、特に、直径又は断面の減少に起因して得られる。この部分（図示せず）は好ましくは、流量制限装置５及び（又は）チャネル１０の出口弁の近くに形成される。
【００３６】
別の実施形態（図示せず）によれば、流量制限装置５は、互いに並列接続された多数のチャネル１０を有する。チャネル１０はそれぞれ、流量を変化させるために好ましくは可変的に使用される（即ち、少なくとも１つのチャネル１０を個々に遮断するのがよい）。特に、この構成は、上述の圧力調整装置を形成することができ、容器１内の圧力が低下して流れ抵抗が減少すると、チャネル１０を順次開くのがよい。好ましくは、ユーザは、ボタンを押し、アクチュエータ８を回し、任意他の要素等を操作することにより一流量から少なくとも一つの別の流量に切り換えるのがよい。このように、流量は、調節可能である。しかしながら、特にチャネル１０の有効長さ又は有効直径を変えることにより且つ（或いは）絞り弁（図示せず）等のような追加の手段の使用により流量を調節するよう使用できる他の考えられる手段が存在する。
【００３７】
好ましくは、流量制限装置５は、図２に示すように好ましくはプラスチックで作られた成形本体１２を有し、この成形本体は、チャネル１０及び任意的にチャネル１０の上流側に位置するフィルタ１３を形成する。構造化本体１２及び（又は）チャネル１０若しくは任意他の流量制限構造体は、任意適当な材料で作られると共に（或いは）成形以外の任意他の適当な方法で構造化されてもよい。
【００３８】
構造化本体１２は好ましくは、蓋、フィルム又は任意他の適当な覆い（例えば、図５に示す覆い１６）で覆われており、したがって、ステム６により供給された液体２が、入口１４を経て流量制限装置５／フィルタ１３に流入し、そして出口１１を経て流量制限装置５から出ることしかできないようになっており、この場合、液体２の蒸発は、流量制限装置５内では阻止される。好ましくは、成形本体１２は、フィルム等を本体１２の表面上にヒートシールし又は第２のプラスチック成形品、カバー等をこの表面上に超音波溶接することにより密封され、通路、即ち、少なくともチャネル１０及び任意的にフィルタ１３が成形本体１２内に形成されるようにする。
【００３９】
フィルタ１３は、チャネル１０の閉塞又は詰まりが生じないようにする。好ましくは、フィルタ１３は、液体２中の問題となる粒子を濾過して除去するために次のチャネル１０の直径よりも小さな寸法のフィルタボア又は開口部を有している。
【００４０】
第１の好ましい実施形態では、フィルタ１３は、流量制限装置５及び（又は）本体１２に組み込まれている。しかしながら、フィルタ１３は、流量制限装置５とは別個に形成すると共に（或いは）配置してもよい。例えば、フィルタ１３をステム６又は弁３に組み込んでもよい。いずれの場合においても、フィルタ１３は好ましくは、流量制限装置５又は少なくともそのチャネル１０と直列に上流側に配置される。
【００４１】
別の実施形態（図示せず）によれば、流量制限装置５は、追加的に又は代替的に、好ましくは水力直径が３０ないし１００μｍの少なくとも１つの制限オリフィスを有するのがよく、その目的は、液体２の流量を所望に応じて減少させ又は制限することにある。チャネル構造と比較した制限オリフィス構造の利点は、その全体サイズが小さいことにある。欠点は、その閉塞の生じやすさの度合が高いことにある。
【００４２】
蒸発器７は、流量制限装置５、特に、その出口１１に流体結合されている。蒸発器７の構造につき、他の図及び実施形態を参照して詳細に説明する。
【００４３】
第１の実施形態では、流量制限装置５及び蒸発器７は好ましくは、互いに隣接して、詳細には上下に配置されている。また、流量制限装置５を蒸発器７に組み込むこと又はこの逆の関係にすることも可能である。代替的に又は追加的に、蒸発器７を放出器具Ｄのアクチュエータ８に組み込んでもよい。
【００４４】
蒸発器７は、成形された溝付きのプラスチック板、スポンジ状材料、吸着性の紙又は液体２を蒸発させながら液体２を保持することができる円錐形カップ若しくは任意他の器具から成るのがよい。この蒸発器は、好ましくは、アクチュエータ８内に配置されると共にユーザが液体２に直接接触するのを阻止するためにキャップ、カバー、スクリーン又はアクチュエータ８で保護される。蒸発器７の全露出領域は、液体２を流量制限装置５を通る液体２の流量に少なくとも略等しく又はこれよりも多い量で蒸発させるのに足るほど広い。
【００４５】
本発明によれば、液体２を蒸発させる蒸発器７は、蒸発面１５（図１に示されている）を有し、この蒸発面は、表面積が増大させられていると共に（或いは）液体２が蒸発面１５上にほぼ一様な膜を形成するよう設計されている。好ましくは、蒸発面１５は、これら性質を達成するよう微細構造化されている。
【００４６】
以下において、別の図を参照して本発明の別の実施形態を説明するが、この場合、本質的な相違点のみを強調する。上記説明が同様に追加的に援用される。
【００４７】
図３は、弁３が閉鎖された状態の放出器具Ｄの第２の実施形態を示している。流量制限装置５は、略鉛直に且つ上記のように設けられた蒸発器７の水平蒸発面１５にほぼ垂直に配置されている。チャネル１０は、第１の実施形態の場合と同様蛇行形状のものであり、流体を蒸発器７、特にその表面１５に直接案内する。
【００４８】
アクチュエータ８を押し下げることにより弁３を開くことができる。アクチュエータ８を押し下げてこの位置にロックした場合、弁３は、アクチュエータ８が例えばひねることによりロック解除されるまで、永続的に開いたままである。
【００４９】
好ましくは、ステム６は、流量制限装置５又は本体１２と一体であり、このステムは、流体２を弁３から供給する送りチャネルを有する。
【００５０】
図４は、蒸発面１５に設けられた溝２０のクモの巣状構造を示している。これら溝２０又はこれに類似した構造は、蒸発面１５上における液体２の一様な膜の形成を促進する。さらに、流体２を流量制限装置２から供給する中央供給チャネルが示されている。
【００５１】
図５は、弁３が閉鎖された状態の放出器具Ｄの第３の実施形態を示している。流量制限装置５、特に螺旋形態のそのチャネル１０は、略水平に且つ上述のように配置された蒸発器７の水平蒸発面１５にほぼ平行に配置されている。特に、蒸発器７は、覆い１６を形成し、又この逆の関係が成り立ち、流量制限装置５の覆い１６は、蒸発面の上側フェースを形成している。
【００５２】
図６は、覆い１６の無い拡大された流量制限装置５を示している。チャネル１０の螺旋形態が、明確に見える。さらに、液体２の円周方向リング状空間１７が、設けられている。これは、液体バッファを形成する。半径方向凹み、切欠き又は溝１８は、液体２が覆い１６の周りを流れ、そして蒸発面１５まで上方に流れることができるよう蒸発領域又は流体結合部を形成している。
【００５３】
図７は、覆い１６が無く且つ関連の蒸発器７が無い流量制限装置５の第４の実施形態を示している。チャネル１０の螺旋形態が、明確に見える。さらに、半径方向チャネル接続部１９が設けられている。アクチュエータ８等の回転位置に応じて、チャネル連結部１９のうちの少なくとも１つを蒸発器７（図示せず）に連結することができる。チャネル１０の有効長さはそれぞれ連結されたチャネル連結部１９に応じて様々である。このように、液体２の流量を調節することができる。
【００５４】
変形例（図示せず）によれば、２つの平行な螺旋を形成する少なくとも２つのチャネル１０を設けると共に所望に応じて互いに並列に又は直列に接続するのがよい。個々の閉塞方式を用いて有効長さを変えると、流れ抵抗及び流量を調節することができる。
【００５５】
図８は、蒸発器７の第５の実施形態を示している。蒸発面１５は、格子状に配列された溝又は凹部２０を有している。これら溝、凹部２０又は類似した構造は、蒸発面１５上における液体２の一様な膜の形成を促進する。加えて、蒸発面１５は、円周方向溝２０により包囲されており、この円周方向溝は、液体２で一杯になることがないよう深い。このリング状溝２１は、蒸発面１５上における液体２の外側限界を形成している。
【００５６】
図９は、蒸発器７の第６の実施形態を示している。蒸発面１５は、別の格子状の溝２２及びポスト２３等のような微細構造体を有している。これら構造体２３は、液体２により覆われる総表面積を増大させ、蒸発量を増大させる。
【００５７】
上述の種々の実施形態のそれぞれの特徴を互換的に組み合わせることができる。
【図面の簡単な説明】
【００５８】
【図１】第１の実施形態による流量制限装置及び蒸発器を備えた放出器具の概略断面図である。
【図２】第１の実施形態の流量制限装置の断面図である。
【図３】第２の実施形態の放出器具の一部を閉鎖状態で示す断面図である。
【図４】第２の実施形態の放出器具の蒸発器の略図である。
【図５】第３の実施形態による流量制限装置を備えた放出器具の一部の概略断面斜視図である。
【図６】第３の実施形態の流量制限装置の斜視図である。
【図７】第４の実施形態の流量制限装置の斜視図である。
【図８】第５の実施形態の蒸発器の部分斜視図である。
【図９】第６の実施形態の蒸発器の斜視図である。
【図１】
2008516858.tif 000003
【図２】
2008516858.tif 000004
【図３】
2008516858.tif 000005
【図４】
2008516858.tif 000006
【図５】
2008516858.tif 000007
【図６】
2008516858.tif 000008
【図７】
2008516858.tif 000009
【図８】
2008516858.tif 000010
【図９】
2008516858.tif 000011
【国際調査報告】
2008516858.tif 000012
2008516858.tif 000013
2008516858.tif 000014